(57)【要約】【課題】自立パウチ容器のそのままの形態での使用と、ボトル容器等に詰め替えるための詰替用としての使用とを兼用した自立パウチ容器を提供する。【解決手段】柔軟性シートによって袋状に形成された容器本体２に口部材３の注出口３ａが接合され、この口部材３の注出口３ａにキャップ４が装着された自立パウチ容器１であって、キャップ４は、蓋体４１と、口部材３の注出口３ａに外嵌螺合する上蓋筒４２と、一端が蓋体４１に他端が上蓋筒４２にそれぞれ連結され蓋体４１を開閉自在とするヒンジ４３とを有し、上蓋筒４２の上蓋部分４２ａには口部材３の注出口３ａの内径ｄ１より小径ｄ２（ｄ２＜ｄ１）の抽出口４２ｂが形成されている構成とする。【選択図】図１
2004306961.tif 000002
【特許請求の範囲】
【請求項１】
柔軟性シートによって袋状に形成された容器本体に口部材が接合され、該口部材の注出口にキャップが装着された自立パウチ容器であって、
前記キャップは、蓋体と、前記注出口に外嵌螺合する上蓋筒と、一端が該蓋体に他端が該上蓋筒にそれぞれ連結され該蓋体を開閉自在とするヒンジとを有し、
前記上蓋筒の上蓋部分には注出口の内径より小径の抽出口が形成されていることを特徴とする自立パウチ容器。
【請求項２】
前記抽出口がプルリングによって開口可能な開栓構造を有すると共に、上蓋筒の下部にタンパーリングが設けられている請求項１記載の自立パウチ容器。
【発明の詳細な説明】
【０００１】
【発明の属する技術分野】
本発明は、シャンプー、洗剤、油等の液体商品が充填される自立パウチ容器であって、そのままの形態での使用と、ボトル容器等に詰め替えるための詰替用としての使用とを兼用した自立パウチ容器に関する。
【０００２】
【従来の技術】
シャンプーや洗剤等の液体商品は、ボトル容器等に充填された状態で販売されていたが、ボトル容器等の有効利用を図るために、近年では、シャンプー等の液体商品を簡易なパウチ容器に充填した詰替用の液体商品が販売されている。
【０００３】
従って、消費者は、最初はボトル容器等に充填された液体商品を購入することになるが、この液体商品を使い切った場合は、ボトル容器等に充填された液体商品を新たに購入するのではなく、簡易なパウチ容器に充填された同じ商品である詰替用の液体商品を購入し、空になったボトル容器等に液体商品だけを詰め替えるようになってきている。
【０００４】
ところで、こういった詰替用の液体商品を充填するパウチ容器は、詰替後に廃棄する際の取扱性やコスト等を考慮して、合成樹脂シート等の柔軟性シートによって単に袋状に形成されているだけのものが多く、こういったパウチ容器に充填された詰替用の液体商品をボトル容器等に移し替える際は、例えば、図５（ａ）に示すように、パウチ容器９０の上端コーナー部を斜めに切除することによって、液体商品の注出口９１を形成し、同図（ｂ）に示すように、この注出口９１からボトル容器８０等に液体商品を注ぎ入れることになる。
【０００５】
こうした詰替用のパウチ容器は、詰替作業性を改善するために、容器の上部にプラスチック成形体からなる口部材を設け、この口部材の注出口にスクリューキャップを外嵌螺合した形態も提供されている。
【０００６】
【特許文献１】
特開平１０−２１１９４２号公報
【０００７】
【特許文献２】
特開２００２−２１１５８９号公報
【０００８】
【発明が解決しようとする課題】
しかしながら、上記のパウチ容器は、詰替を前提としたものであり詰替用としての使用には適しているが、消費者によっては詰め替えをすることなく、そのままの形態で使用したいとの要望もあり、そのような使用には適していなかった。
【０００９】
本発明は、こうした従来技術の課題を解決するものであり、自立パウチ容器のそのままの形態での使用と、ボトル容器等に詰め替えるための詰替用としての使用とを兼用した自立パウチ容器を提供することにある。
【００１０】
【課題を解決するための手段】
本発明は、柔軟性シートによって袋状に形成された容器本体に口部材が接合され、該口部材の注出口にキャップが装着された自立パウチ容器であって、前記キャップは、蓋体と、前記注出口に外嵌螺合する上蓋筒と、一端が該蓋体に他端が該上蓋筒にそれぞれ連結され該蓋体を開閉自在とするヒンジとを有し、前記上蓋筒の上蓋部分には注出口の内径より小径の抽出口が形成されている構成とする。
【００１１】
この構成によれば、自立パウチ容器は、蓋体がヒンジにより連結されたキャップで構成されているので、使用時に蓋体を開き、小径の抽出口から適量の内容物を抽出し、使用後は蓋体を閉じるといった簡単な操作で使用することが可能となり、そのままの形態での使用に好適である。他方、詰替時は容器の口部材の注出口に外嵌螺合する上蓋筒を緩め、キャップを外すことで、大径の注出口から内容物を注出してボトル容器等に短時間で容易に内容物を詰め替えることができる。
【００１２】
また、上記自立パウチ容器において、前記抽出口がプルリングによって開口可能な開栓構造を有すると共に、上蓋筒の下部にタンパーリングが設けられている構成にすると、タンパー機能が付加でき、商品の信頼性の向上を図ることが可能となる。
【００１３】
【発明の実施の形態】
以下、本発明の実施の形態について、図面を参照して説明する。
【００１４】
（第１の実施形態）
【００１５】
図１は本発明に係る第１の実施形態である自立パウチ容器１を示しており、柔軟性シートによって袋状に形成された容器本体２に熱接着性樹脂からなる注出口３ａを有する口部材３が接合され、この注出口３ａにキャップ４が装着されている。
【００１６】
キャップ４は、蓋体４１と、口部材３の注出口３に外嵌螺合する上蓋筒４２と、一端が蓋体４１に他端が上蓋筒４２にそれぞれ連結され蓋体４１を開閉自在とするヒンジ４３とを有し、上蓋筒４２の上蓋部分４２ａには口部材３の注出口３ａの内径ｄ１より小径ｄ２（ｄ２＜ｄ１：図２参照）の抽出口４２ｂが形成され、ポリエチレンやポリプロピレン等の合成樹脂で一体に成形されている。
【００１７】
容器本体２は、ポリエチレンやポリプロピレン等の熱接着性を有する合成樹脂フィルムの外面に、二軸延伸ポリアミドや二軸延伸ポリエステルフィルム等をラミネートした厚さ１００〜１５０μｍ程度の柔軟性シートによって形成され扁平状態に折り畳み可能になっている。
【００１８】
この容器本体２は、表裏一対の外装シート２１、２２と、この外装シート２１、２２の下端部において両者の間に折り込まれるガセットシート２３とから構成されており、外装シート２１、２２の上縁部及び両側縁部が相互にヒートシールされることによって胴部２ａが形成されると共に、外装シート２１、２２間に折り込まれたガセットシート２３の周縁を外装シート２１、２２の内面にヒートシールすることによって胴部２ａの下端開口部を閉塞するボトムガセット部２ｂが形成されている。
【００１９】
口部材３は、外装シート２１、２２の上端縁に挟み込まれた状態で、外装シート２１、２２にヒートシールされる装着部３ｂと、この装着部３ｂに連設された円筒状の注出口３ａとを備えており、注出口３ａには、キャップ４の上蓋筒４２が外嵌螺合するようになっている。
【００２０】
注出口３ａは、上半部の外周面にはキャップ４の上蓋筒４２の内周面に形成された雌ねじ４２ｃが螺合する雄ねじ３ｃが形成されていると共に、下半部の下端部には、その外周面から外側に張り出す８角形状のフランジ３ｄが２段連設されている。
【００２１】
この自立パウチ容器１は、蓋体４１がヒンジ４３により連結されたキャップ４で構成されているので、使用時に蓋体４１を開き、小径ｄ２（ｄ２＜ｄ１）の抽出口４２ｂから適量の内容物を抽出し、使用後は蓋体４１を閉じるといった簡単な操作で使用することが可能となり、そのままの形態での使用に好適である。他方、詰替時は容器１の口部材３の注出口３ａに外嵌螺合する上蓋筒４２を緩め、キャップ４を外すことで、大径ｄ１（ｄ１＞ｄ２）の注出口３ａから内容物を注出してボトル容器等に短時間で容易に詰め替えることができる。
【００２２】
また、この自立パウチ容器１は、キャップ４を容器本体２の上部中央に配置せず片側に寄せた配置とすると共に、容器本体２の上部に口部材３の取付部から斜め下に向かう傾斜部２ｅを設け、更に容器本体２の中間部における上寄りに括れ部２ｃ、２ｄを設けている。こうした形態とすることで、そのままの形態で使用する際に、容器本体２の傾斜部２ｅ及び括れ部２ｃ、２ｄ付近を手で掴んだときに手にフィットして滑りにくくして、片手での操作性を向上させている。このことは、詰め替え作業をするときも同様である。
【００２３】
（第２の実施形態）
【００２４】
図３は本発明に係る第２の実施形態である自立パウチ容器１Ｂを示しており、上述した第１の実施形態とは、抽出口がプルリング５１によって開口可能な開栓構造５０を有すると共に、上蓋筒４２の下部にタンパーリング５が設けられている点で相違し、その他の構成は同じになっている。そこで、第１の実施形態と同一構成部材には同一符号を付してその説明を省略する。
【００２５】
上記開栓構造５０は、キャップ４の上蓋筒４２における上蓋部分４２ａに、有底筒状の注出筒片５２を立設し、この注出筒片５２の底壁５３に、閉ループ状に肉薄な破断溝５３ａを設けることにより抜栓部５３ｂを区画形成し、この抜栓部５３ｂの上面の一端から立設した連結片５４の上端部にプルリング５１を一体連設している。
【００２６】
また、図４に示すように、突条３ｅがキャップ４の上蓋筒４２の下端に形成されたタンパーリング５に係合しており、上蓋筒４２を開栓方向に回すことにより、タンパーリング５が上蓋筒４２から切り離されて、開封されたことが分かるようになっている。
【００２７】
この自立パウチ容器１Ｂでは、タンパー機能が付加でき、商品の信頼性の向上を図ることができる。
【００２８】
上述した実施形態では、容器本体１０がボトムガセット部を有する自立性のあるパウチ容器１について説明したが、これに限定されるものではなく、本発明は、口部材を有するものであれば、種々の自立パウチ容器に適用することができ、例えば容器本体はサイドガセット袋等であってもよい。
【００２９】
また、上述した実施形態では、詰替用のシャンプーを充填するパウチ容器について説明したが、これに限定されるものではなく、本発明は洗剤や油等の詰替用の液体商品を充填する種々のパウチ容器に適用することができることはいうまでもない。
【００３０】
【発明の効果】
上述したように、本発明の自立パウチ容器は、容器のそのままの形態での使用と、ボトル容器等に詰め替えるための詰替用としての使用とを兼用することができる。
【図面の簡単な説明】
【図１】本発明に係る第１の実施形態である自立パウチ容器を示す斜視図である。
【図２】図１に示す自立パウチ容器のキャップ周辺をＸ−Ｏ−Ｙ線で切断した垂直断面図であって、蓋体を閉じた状態を表す。
【図３】本発明に係る第２の実施形態である自立パウチ容器を示す斜視図である。
【図４】図３に示す自立パウチ容器のキャップ周辺をＸ−Ｏ−Ｙ線で切断した垂直断面図であって、蓋体を閉じた状態を表す。
【図５】詰替用パウチ容器による詰替作業を説明する説明図である。
【符号の説明】
１，１Ｂ  自立パウチ容器
２  容器本体
３  口部材
３ａ  注出口
４  キャップ
５  タンパーリング
４１  蓋体
４２  上蓋筒
４３  ヒンジ
５０  開栓構造
５１  プルリング
【図１】
2004306961.tif 000003
【図２】
2004306961.tif 000004
【図３】
2004306961.tif 000005
【図４】
2004306961.tif 000006
【図５】
2004306961.tif 000007